(57)【要約】      （修正有）【課題】腕に通して装着することができ、又、腕にかわるものへの装着も可能とし、利用性に優れているケースバッグを提供する。【解決手段】第１ポケットと第２ポケットの間に隙間をつくり、その隙間をポケットとして使用し、第２ポケット上部には、フタ又はフタの代わりになるものがあり、これが、第１ポケットと第２ポケットの隙間に手を入れた時に手の甲を傷めない役目を果たすと同時に、第３のポケットになるのを特徴とするケースバッグを考案した。背部のベルト通しは、長くするのが特徴で、ベルトにバッグを装着したままでもバッグが上下に動くことで、座った時にも、違和感がなく、自転車、原動機付き自転車、バイク等に乗るとき腕に通して、バッグを装着することができる。又、腕にかわるものへの装着も可能とし、利用性に優れていることを特徴とするケースバッグ。【選択図】図１
0003126515.tif 000002
【実用新案登録請求の範囲】
【請求項１】
第１ポケットと第２ポケットの間にマチを付けて隙間をつくり、その隙間をポケットとして使用し、第２ポケット上部には、フタ又はフタの代わりになるものがあり、これが、第１ポケットと第２ポケットの隙間に手を入れた時に手の甲を傷めない役目を果たすことを特徴とするケースバッグ。
【請求項２】
背部のベルト通しは、長くするのが特徴で、ベルトにバッグを装着したままでバッグが上下に動くことで、座った時にも、違和感がなく、自転車、原動機付き自転車、バイク等に乗るとき腕に通して、バッグを装着することができ、腕にかわるものへの装着も可能とし、利用性に優れていることを特徴とするケースバッグ。
【請求項３】
本考案のケースバッグに使用する材料、各寸法、各色、各重量については、定めのない範囲とする。
【請求項４】
本考案のケースバッグに付帯させる部品、材料については、定めのない範囲とする。
【請求項５】
本考案のケースバッグの機能をもつものについては、定めない範囲とする。
【請求項６】
両側のベルトに、長さが調整できる紐、又はベルトを直接装着するか間接的に装着して使用することができるものとする。
【請求項７】
背部のベルト通しは、長さを自在に変えることができるものとし、部品などを用いて装脱着が可能であるものとする。
【考案の詳細な説明】
【技術分野】
【０００１】本考案は、ケースバッグを製造するためのデザインと機能に関する。
【背景技術】
【０００２】従来、ケースバッグのポケットは、背面にダイレクトに取り付けたもの、又は脱着式のものであった。小物ケースやバッグ等は、両サイド又は、片方にポケットを取り付けているが、本考案は、できるだけ幅を広げないようにすることを考えた。【０００３】ファスナー付きの第１ポケットは、すぐには取り出すことのないものを入れ、フタ付きの第２ポケットは、正面のデザイン性を重視して、物が簡単に外へ放出されないようにフタ付きポケットが必要であった。【０００４】しかし、ファスナーを開ける、フタを開けるという動作が必要になるので、同等の大きさの仮入れポケットを取り付けたいというところから、第１ポケットと第２ポケットの間にマチを作り、使用頻度が高く、出し入れが多いときによく使用するであろうと思われる仮入れ用のポケットとした。
【考案の開示】
【考案が解決しようとする課題】
【０００５】従来技術の問題点としては、ポケットは両サイド、又は、最前面のフロント側にあり、両サイドのポケットでは、構造上、小さいポケットの取り付けになる。【０００６】最前面側では、重いものを入れたときに、落ちる可能性が高い為、使用頻度が高い携帯電話などを収納したいけど、別のところへ収納するかの方法をとっている。
【課題を解決するための手段】
【０００７】第１ポケットと第２ポケットの間に隙間をつくり、その隙間をポケットとして使用し、第２ポケット上部には、蓋又は蓋の代わりになるものがあり、これが、第１ポケットと第２ポケットの隙間に手を入れた時に手の甲を傷めない役目を果たすと同時に、第３のポケットになるのを特徴とする繊維製のケースバッグを考案した。背部のベルト通しは、長くするのが特徴で、ベルトにバッグを装着したままでバッグが上下に動くことで、座った時にも、違和感がなく、自転車、原動機付き自転車、バイク等に乗るとき腕に通して、バッグを装着することができる。
又、腕にかわるものへの装着も可能とし、利用性に優れていることを特徴とするケースバッグを考案した。
【考案の効果】
【０００８】オープンポケットがケースとケースの間にあり、奥行きも深い為、使用頻度が高いものも、ある程度の重さがある物も安心して収納できる。【０００９】また、最前面のポケットにフタがある為、手の甲を傷めないようなガードをしてくれるのが特徴である。【００１０】背面のベルト通し部のベルトを長くすることによって、座った時にケースバッグが斜めになる現象や、腰に装着するだけでなく、腕への装着や、店舗などで、据え置き用のケースバッグとしても、ポール等に装着して使用できる。【００１１】側面のベルト及びベルト通しに紐、ベルトなどを直接装着、間接装着することで、肩から提げることができる。【００１２】側面のベルト及びベルト通しに付帯させる部品、材料でケースバッグを装飾することができる。【００１３】ケースバッグ本体の材料を変えることで、機能だけでなくデザイン性を持ったケースバッグに展開できる。【００１４】ケースバッグの寸法を変えることで、日常生活の多様性に使用することができる。
【考案を実施するための最良の形態】
【００１５】本体の生地になる部分、フタ付きポケットのフタになる生地は、できるだけ柔らかい材質のものを用いるようして、マチの幅は、５ｍｍ〜２０ｍｍまでの範囲内であることが、使用するときの最良の大きさである。
【実施例】
【００１６】以下、添付図面に従って、実施例を説明する。図１は本考案の形状がわかる全体の斜視図である。１はファスナー付きポケット部を開口する為のスライダーであり１を左右に動かすことで、２のファスナーの開閉が可能になる。３は側面のベルトであり、両側面のベルトに紐、ベルトなどを直接装着、間接装着をすることで肩から提げることができる。４はファスナー付きポケットの下部マチ部である。５はフタ付きポケットのマチ部である。６はフタ付きポケットの腹部である。７はフタ付きポケットのフタ部であり、フタ付きポケットの背部までのびている。８は本考案の特徴となるマチ部である。９はファスナー付きポケットの上部マチ部である。１０は本考案の特徴となるベルト通し部のベルトである。１１、１２はフタ付きポケットのフタを止める為のベルクロテープである。１１、１２は図１では見えない為、図５の正面図を参照する。【００１７】図２は本考案請求の範囲で、ベルト通し部のベルトがわかる後方からの斜視図である。図１では、ケースバッグの後方がわからない為に後方の斜視図を示した。【００１８】図３はファスナー付きポケットとフタ付きポケットの間のマチ部分の配置がわかるように、左側面からの側面図である。右側面も同等の形をしている。【００１９】図４はケースバッグの右上からの斜視図である。斜視図、側面図だけではケースバッグの形状がわかりにくい為、わかり易いように右上からの斜視図を示した。【００２０】図５はケースバッグの正面図である。フタ付きポケットの正面を示し、１１、１２のベルクロテープを示した。
【図面の簡単な説明】
【００２１】
【図１】本考案のケースバッグの全体の形状を示した斜視図である。
【図２】本考案のケースバッグの後方の形状を示した斜視図である。
【図３】本考案のケースバッグの部分、配置を示した側面図である。
【図４】本考案のケースバッグを拡大して示した右上斜視図である。
【図５】本ケースバッグを示した正面図である。
【符号の説明】
【００２２】１  スライダー
２  ファスナー
３  平織りテープ
４  ファスナー付き第１ポケットのマチ
５  フタ付き第２ポケットのマチ
６  フタ付き第２ポケットの腹部
７  フタ付き第２ポケットの背部（フタ部）
８  ファスナー付き第１ポケットとフタ付き第２ポケットの連結マチ
９  ファスナー付き第１ポケットの上部マチ
１０  ベルト通し用ベルト
１１  ベルクロテープ凹又は凸
１２  ベルクロテープ凹又は凸
【図１】
0003126515.tif 000003
【図２】
0003126515.tif 000004
【図３】
0003126515.tif 000005
【図４】
0003126515.tif 000006
【図５】
0003126515.tif 000007
【手続補正書】
【提出日】平成18年7月26日(2006.7.26)
【手続補正１】
【補正対象書類名】実用新案登録請求の範囲
【補正対象項目名】全文
【補正方法】変更
【補正の内容】
【実用新案登録請求の範囲】
【請求項１】
第１ポケットと第２ポケットの間にマチを付けて隙間をつくり、その隙間をポケットとして使用し、第２ポケット上部には、フタ又はフタの代わりになるものがあり、これが、第１ポケットと第２ポケットの隙間に手を入れた時に手の甲を傷めない役目を果たすことを特徴とする中間ポケット付きケースバッグ。
【請求項２】
背部のベルト通しは、長くするのが特徴で、ベルトにバッグを装着したままでバッグが上下に動くことで、座った時にも、違和感がなく、自転車、原動機付き自転車、バイク等に乗るとき腕に通して、バッグを装着することができ、腕にかわるものへの装着も可能とし、利用性に優れている請求項１に記載の中間ポケット付きケースバッグ。
【請求項３】
材料、各寸法、各色、各重量については、定めのない、請求項１または２に記載の中間ポケット付きケースバッグ。
【請求項４】
付帯させる部品及び材料については、追加することができる、請求項１から３のいずれかの項に記載の中間ポケット付きケースバッグ。
【請求項５】
両側のベルトを利用して、長さが調整できる紐、又はベルトを直接装着するか間接的に装着して使用することができる請求項１から４のいずれかの項に記載の中間ポケット付きケースバッグ。
【請求項６】
背部のベルト通しは、長さを自在に変えることができるものとし、部品などを用いて装脱着が可能で、請求項１から５に記載の中間ポケット付きケースバッグ。